(57)【要約】【課題】光源の輝度を所望の高い値にまで復帰させるという操作を容易かつ確実に行なうことが可能な照明装置を得る。【解決手段】照明装置は、操作部２０を備える。操作部２０は、光源の点灯指示および光源の消灯指示を出力する第１スイッチ部２１と、光源の復帰指示を出力する第２スイッチ部２２とを含む。第１スイッチ部２１の操作方法と第２スイッチ部２２の操作方法とは、互いに異なるように構成される。第１スイッチ部２１が操作されることによって、光源は一旦点灯し、その後、光源の輝度は所定の値に到達するように自動的に減少される。第２スイッチ部２２が操作されることによって、光源の輝度は高くなるように調光が制御される。【選択図】図３
2013026073.tif 000002
【特許請求の範囲】
【請求項１】
光源を含む照明器具と、
前記光源の点灯指示および前記光源の消灯指示を出力する第１スイッチ部、ならびに前記光源の復帰指示を出力する第２スイッチ部を含み、前記第１スイッチ部の操作方法と前記第２スイッチ部の操作方法とが互いに異なるように構成された操作部と、
前記操作部からの指示を受けて、前記光源を点灯若しくは消灯させ、または前記光源の調光を制御する制御部と、を備え、
前記第１スイッチ部が操作されることによって前記制御部が前記点灯指示を受けた際には、前記制御部は前記光源を一旦点灯させた後、前記光源の輝度が所定の値に到達するように前記光源の輝度を自動的に減少させ、
前記第２スイッチ部が操作されることによって前記制御部が前記復帰指示を受けた際には、前記制御部は、前記制御部が前記復帰指示を受けた際よりも前記光源の輝度が高くなるように前記光源の調光を制御する、
照明装置。
【請求項２】
前記第２スイッチ部は、前記第１スイッチ部よりも物理的形状が小さくなるように構成される、
請求項１に記載の照明装置。
【請求項３】
前記第２スイッチ部を操作するために必要な力は、前記第１スイッチ部を操作するために必要な力よりも小さくなるように構成される、
請求項１または２に記載の照明装置。
【請求項４】
前記第１スイッチ部はメカニカルスイッチから構成され、
前記第２スイッチ部はタッチパネルから構成される、
請求項３に記載の照明装置。
【請求項５】
前記第２スイッチ部は、前記第１スイッチ部の表面に設けられている、
請求項１から４のいずれかに記載の照明装置。
【請求項６】
前記第１スイッチ部および前記第２スイッチ部は、双方ともにタッチパネルから構成される、
請求項１に記載の照明装置。
【請求項７】
前記照明器具の前記光源は、有機ＥＬである、
請求項１から６のいずれかに記載の照明装置。
【発明の詳細な説明】
【技術分野】
【０００１】
本発明は、光源を備えた照明装置に関し、特に、光源の点灯後に光源の輝度を所定の値にまで徐々に低減させる機能を有する照明装置に関する。
【背景技術】
【０００２】
省エネルギー等の観点から、光源の点灯後に光源の輝度を所定の値にまで徐々に低減させる機能を有する照明装置が知られている。このような照明装置においては、たとえば、人感センサーが用いられる。人感センサーは、人の存在および人の不在を検知する。人の存在時には、照明装置は調光率を下げない（若しくは上げる）ように制御される。一方、人の不在時には、照明装置は調光率を自動的に下げるように制御される。
【０００３】
人感センサーの代わりに、外光の明るさを検知するセンサーが用いられる場合もある。センサーが検知した外光の明るさに応じて、照明装置の調光（調光率）が制御される。外光が暗い場合には、照明装置は調光率を下げない（若しくは上げる）ように制御される。一方、外光が明るい場合には、照明装置は調光率を自動的に下げるように制御される。
【０００４】
ここで、人は、輝度（照度範囲）が比較的高い場合には、輝度の変化を感じにくい。一方、人は、輝度（照度範囲）が比較的低い場合には、輝度の変化を強く感じる傾向にある。このような輝度変化に対する人間の感覚を利用した照明装置も知られている。
【０００５】
特開２００５−２９３８５３号公報（特許文献１）には、輝度変化に対する人間の感覚を利用した照明装置が開示される。この照明装置は、人の動きが比較的少ない場所（たとえばオフィスのフロア等）に用いられる。この照明装置は、光源の点灯後、光源の輝度が所定の目標値（たとえば最大輝度の７０％程度）になるように、光源の輝度を徐々に低減させている。
【０００６】
一般的なオフィスでは、快適性が重視される。点灯時における照明装置の光源は、作業に必要な輝度よりも高い輝度に設定される。光源の点灯後、７０％程度の輝度にまでゆっくりと光源の輝度を低減（フェードアウト）させたとしても、人は、輝度が変化したことには気付かない。照明装置の使用者が不快に感じることは、ほとんどない。照明装置の光源がこのように制御されることによって、省エネルギー性と快適性との両立を得ることが可能となる。
【先行技術文献】
【特許文献】
【０００７】
【特許文献１】特開２００５−２９３８５３号公報
【発明の概要】
【発明が解決しようとする課題】
【０００８】
光源の点灯後に光源の輝度が自動的に低減され、光源の輝度が所定の低い値に設定されているとする。この場合において、計画的に若しくは来客などの偶発的な要因によって、光源の輝度を所望の高い値にまで復帰（フェードイン）させる必要が生じることがある。この場合、照明装置の使用者によって、光源の輝度を所望の高い値にまで復帰させるという操作が行なわれる。
【０００９】
本発明は、光源の輝度を所望の高い値にまで復帰させるという操作を容易かつ確実に行なうことが可能な照明装置を提供することを目的とする。
【課題を解決するための手段】
【００１０】
本発明に基づく照明装置は、光源を含む照明器具と、上記光源の点灯指示および上記光源の消灯指示を出力する第１スイッチ部、ならびに上記光源の復帰指示を出力する第２スイッチ部を含み、上記第１スイッチ部の操作方法と上記第２スイッチ部の操作方法とが互いに異なるように構成された操作部と、上記操作部からの指示を受けて、上記光源を点灯若しくは消灯させ、または上記光源の調光を制御する制御部と、を備え、上記第１スイッチ部が操作されることによって上記制御部が上記点灯指示を受けた際には、上記制御部は上記光源を一旦点灯させた後、上記光源の輝度が所定の値に到達するように上記光源の輝度を自動的に減少させ、上記第２スイッチ部が操作されることによって上記制御部が上記復帰指示を受けた際には、上記制御部は、上記制御部が上記復帰指示を受けた際よりも上記光源の輝度が高くなるように上記光源の調光を制御する。
【００１１】
好ましくは、上記第２スイッチ部は、上記第１スイッチ部よりも物理的形状が小さくなるように構成される。好ましくは、上記第２スイッチ部を操作するために必要な力は、上記第１スイッチ部を操作するために必要な力よりも小さくなるように構成される。好ましくは、上記第１スイッチ部はメカニカルスイッチから構成され、上記第２スイッチ部はタッチパネルから構成される。
【００１２】
好ましくは、上記第２スイッチ部は、上記第１スイッチ部の表面に設けられている。好ましくは、上記第１スイッチ部および上記第２スイッチ部は、双方ともにタッチパネルから構成される。好ましくは、上記照明器具の上記光源は、有機ＥＬである。
【発明の効果】
【００１３】
本発明によれば、光源の輝度を所望の高い値にまで復帰させるという操作を容易かつ確実に行なうことが可能な照明装置を得ることができる。
【図面の簡単な説明】
【００１４】
【図１】実施の形態１における照明装置を示す斜視図である。
【図２】実施の形態１における照明装置に用いられる操作部を示す正面図である。
【図３】実施の形態１における照明装置に用いられる操作部を示す斜視図である。
【図４】実施の形態１における照明装置の回路構成を示す図である。
【図５】実施の形態１における照明装置の動作を示す図である。
【図６】実施の形態２における照明装置に用いられる操作部を示す正面図である。
【図７】実施の形態２における照明装置に用いられる操作部を示す斜視図である。
【図８】実施の形態２における照明装置に用いられる操作部を示す第１断面図である。
【図９】実施の形態２における照明装置に用いられる操作部を示す第２断面図である。
【図１０】実施の形態３における照明装置に用いられる操作部を示す正面図である。
【図１１】実施の形態３における照明装置に用いられる操作部を示す斜視図である。
【図１２】実施の形態３における照明装置に用いられる操作部を示す第１断面図である。
【図１３】図１２中に示される第１スイッチ部および第２スイッチ部の回路構成を示す図である。
【図１４】実施の形態３における照明装置に用いられる操作部を示す第２断面図である。
【図１５】図１４中に示される第１スイッチ部および第２スイッチ部の回路構成を示す図である。
【図１６】実施の形態３における照明装置に用いられる操作部を示す第３断面図である。
【図１７】図１６中に示される第１スイッチ部および第２スイッチ部の回路構成を示す図である。
【図１８】実施の形態４における照明装置に用いられる操作部を示す正面図である。
【図１９】実施の形態４における照明装置に用いられる操作部を示す第１断面図である。
【図２０】実施の形態４における照明装置に用いられる操作部を示す第２断面図である。
【図２１】実施の形態５における照明装置に用いられる操作部を示す正面図である。
【図２２】実施の形態５における照明装置に用いられる操作部を示す斜視図である。
【図２３】実施の形態６における照明装置の回路構成を示す図である。
【図２４】実施の形態７における照明装置の動作を示す図である。
【発明を実施するための形態】
【００１５】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００１６】
［実施の形態１］
（照明装置１００）
図１は、本実施の形態における照明装置１００を示す斜視図である。図１に示すように、照明装置１００は、照明器具１０、操作部２０、制御部３０、および記憶部４０を備える。
【００１７】
照明器具１０は、部屋６０の天井６２に取り付けられる。天井６２には、複数の照明器具１０が取り付けられる。天井６２には、１つの照明器具１０のみが取り付けられていてもよい。照明器具１０は、部屋６０の壁面６１に取り付けられてもよい。照明器具１０は、部屋６０の出入口６３付近に設けられた操作部２０とは分離して配置される。
【００１８】
照明器具１０は、光源１２を含む。光源１２は、有機ＥＬ（Organic  Electro-Luminescence）から構成される。光源１２は、蛍光灯、またはＬＥＤ（Light  Emitting  Diode）などから構成されてもよい。光源１２は、制御部３０に接続される。光源１２は、制御部３０からの指示を受けることにより、点灯、消灯、または調光される。光源１２が有機ＥＬまたはＬＥＤから構成される場合、光源１２は、ＰＷＭ（Pulse  Width  Modulation）またはＰＨＭ（Pulse  Height  Modulation）などの調光信号によって、容易に調光されることが可能である。
【００１９】
操作部２０は、上述のとおり、出入口６３付近の壁面６１に取り付けられる。操作部２０は、照明装置１００の使用者７０によって操作される。操作部２０は、壁面６１に取り付けられた状態で有線操作を行なうものに限られず、いわゆるリモートコントローラーのように、無線操作を行なうことが可能なように構成されていてもよい。
【００２０】
操作部２０は、使用者７０に操作されることによって、照明器具１０の光源１２を制御（点灯、消灯、または調光）するための信号を出力する。操作部２０から出力された信号は、制御部３０に入力される。操作部２０の更なる詳細については、図２を参照して後述する。
【００２１】
制御部３０は、操作部２０からの信号を受けて、受け取った信号に応じた指示信号を生成する。生成される指示信号に関する情報は、制御部３０に接続された記憶部４０に予め記憶されている。記憶部４０には、光源１２を調光するための各種の調光率に関する情報も記憶されている。制御部３０によって生成された指示信号は、照明器具１０の光源１２に送信される。光源１２は、制御部３０からの指示信号を受けることにより、点灯、消灯、または調光される。
【００２２】
（操作部２０）
図２は、操作部２０を示す正面図である。図３は、操作部２０を示す斜視図である。図２および図３に示すように、操作部２０は、第１スイッチ部２１、第２スイッチ部２２、取付パネル２３、および取付具２４を含む。取付パネル２３は、取付具２４によって壁面６１に固定される。第１スイッチ部２１および第２スイッチ部２２は、取付パネル２３によって、壁面６１に取り付けられる。
【００２３】
第１スイッチ部２１は、いわゆるトグル動作を行なうスイッチである。第１スイッチ部２１は、押下された後、押下される前の位置に戻るモーメンタリ型のスイッチでるとよい。第１スイッチ部２１は、押下される度に、光源１２を点灯させるための点灯指示、および、光源１２を消灯させるための消灯指示を交互に出力する。
【００２４】
第１スイッチ部２１は、押下される度にクリック感が発生するメカニカルスイッチから構成されるとよい。使用者がクリック感を得ることによって、点灯の操作または消灯の操作が行なわれたことを、使用者は確実に認識することが可能となる。押下される度にクリック感が発生するメカニカルスイッチとしては、たとえば特開平０６−１１１６８３号公報における図１６、および特開２００９−２３０９７２号公報における図１に記載のものを使用することができる。
【００２５】
第２スイッチ部２２は、押下される度に、光源１２の調光率を所定の高い値に復帰させるための復帰指示を出力する。第２スイッチ部２２は、押下される度にクリック感が発生するメカニカルスイッチから構成されてもよく、押下された後に押下される前の位置に戻るモーメンタリ型のスイッチから構成されていてもよい。
【００２６】
第２スイッチ部２２は、軽い接触によって操作されることが可能なタッチパネルから構成されていてもよい。第２スイッチ部２２がタッチパネルから構成される場合、タッチパネルとしては、抵抗膜方式、表面弾性波方式、赤外線方式、電磁誘導方式、または静電容量方式などのいずれのタイプであってもよい。
【００２７】
ここで、第１スイッチ部２１の操作方法および第２スイッチ部２２の操作方法は、互いに異なるように構成される。本実施の形態においては、第２スイッチ部２２が第１スイッチ部２１とは物理的に分離した位置に配置されるとともに、第２スイッチ部２２が第１スイッチ部２１よりも物理的形状（ここでは表面積）が小さくなるように構成される。
【００２８】
（照明装置１００の回路構成）
図４は、照明装置１００（図１参照）の回路構成を示す図である。図４に示すように、照明装置１００は、回路構成として、照明器具１０、操作部２０、制御部３０、記憶部４０、および電源部５０を含む。
【００２９】
照明器具１０は、光源１２と、光源１２を駆動させるためのドライバー１４と、ＡＣＤＣコンバーター１６とを含む。操作部２０は、第１スイッチ部２１および第２スイッチ部２２を含む。第１スイッチ部２１および第２スイッチ部２２は、物理的に分離するように構成される。制御部３０は、マイコン３２およびＡＣＤＣコンバーター３４を含む。記憶部４０は、メモリー４２を含む。電源部５０は、交流電源５２を含む。
【００３０】
点灯指示および消灯指示を出力する第１スイッチ部２１は、電源部５０における交流電源５２からのラインを直接的にＯＮ／ＯＦＦするように構成される。第２スイッチ部２２は、マイコン３２の入力ポートに接続されている。この入力ポートは、マイコン３２の内部においてプルアップされている。
【００３１】
第２スイッチ部２２が押されない場合（第２スイッチ部２２がＯＦＦの場合）には、Ｈ（Ｈｉｇｈ）がマイコン３２側で検出される。第２スイッチ部２２が押された場合（第２スイッチ部２２がＯＮの場合）には、Ｌ（Ｌｏｗ）がマイコン３２側で検出される。マイコン３２によってＨまたはＬが処理された後、調光信号（復帰信号）が調光インターフェース３６に送信される。
【００３２】
調光インターフェース３６は、信号線およびグランドからなる２線式である。調光インターフェース３６は、照明器具１０の光源１２に対してＰＷＭ信号を送信する。光源１２における調光率は、ＰＷＭ信号のデューティー比によって指定される。
【００３３】
（照明装置１００の動作）
図５は、照明装置１００の動作を示す図である。図５中の横軸は、照明装置１００における時間の経過を示している。図５中の縦軸は、照明装置１００における光源１２の輝度（調光率）を示している。
【００３４】
図１，図４および図５を参照して、照明装置１００においては、第１スイッチ部２１が操作されることによって、操作部２０から制御部３０に点灯指示が送信される。制御部３０のＡＣＤＣコンバーター３４が起動し、これに伴って制御部３０のマイコン３２が起動する。制御部３０のマイコン３２からは、光源１２を点灯させるための信号が出力される。照明器具１０におけるＡＣＤＣコンバーター１６が起動し、光源１２は発光可能な状態となる。
【００３５】
制御部３０のマイコン３２が起動された際には、調光インターフェース３６に１００％のデューティー比を有するＰＷＭ信号が出力される。ＰＷＭ信号は、光源１２のドライバー１４に入力される。光源１２は、ドライバー１４によって駆動され、点灯する。第１スイッチ部２１が時間Ｔ１（図５参照）に操作されたとすると、光源１２は、調光率が１００％となるように点灯する。
【００３６】
光源１２が点灯した後、光源１２は、制御部３０によってさらに制御される。制御部３０のマイコン３２内にはタイマーが内蔵されており、タイマーによって点灯時からの時間がカウントされる。制御部３０は、記憶部４０に記憶されているフェードアウト時間Ｔｆ（図５参照）と比較しながら、調光インターフェース３６に出力するＰＷＭ信号のデューティー比を変化させる。光源１２の輝度（調光率）は、フェードアウト時間Ｔｆの間にたとえば７０％の値（目標調光率）となるように徐々に自動的に減少する。光源１２の輝度が７０％の値に到達した後、光源１２の輝度は７０％の値で維持される。
【００３７】
光源１２の目標調光率は、省エネルギーおよび快適性の両立に鑑みて、７０％以外の値に設定されてもよい。光源１２の目標設定値は、照明装置１００の使用者が予め自由に設定できるように構成されてもよい。フェードアウト時間Ｔｆは、人間が照度変化を感じにくい程度に長く設定されるとよい。フェードアウト時間Ｔｆは、たとえば１０秒から１０分である。
【００３８】
次に、時間Ｔ２において第２スイッチ部２２が操作されたとする。操作部２０から制御部３０に復帰指示が送信される。制御部３０のマイコン３２は、この復帰指示を検出する。制御部３０のマイコン３２から、１００％のデューティー比を有するＰＷＭ信号が調光インターフェース３６に出力される。
【００３９】
ＰＷＭ信号は、光源１２のドライバー１４に入力される。光源１２は、輝度（調光率）が１００％となるように調光される。その後、光源１２の輝度は、制御部３０が点灯指示を受けた場合と同様に、フェードアウト時間Ｔｆの間に７０％に到達するまで徐々に自動的に減少する。光源１２の輝度が７０％の値に到達した後、光源１２の輝度は７０％の値で維持される。
【００４０】
第２スイッチ部２２が操作された際の光源１２の輝度は、省エネルギーおよび快適性の両立に鑑みて、１００％以外の値に設定されてもよい。１００％以外の値に設定される場合であっても、第２スイッチ部２２が操作された際の光源１２の輝度は、第２スイッチ部２２が操作された際（制御部３０が復帰指示を受けた際）よりも光源１２の輝度が高くなるように設定される。
【００４１】
必要に応じて、時間Ｔ３において第２スイッチ部２２が再び操作される。時間Ｔ２の場合と同様に、光源１２は、輝度（調光率）が１００％となるように調光される。その後、光源１２の輝度は、フェードアウト時間Ｔｆの間に７０％に到達するまで徐々に自動的に減少する。光源１２の輝度が７０％の値に到達した後、光源１２の輝度は７０％の値で維持される。
【００４２】
最後に、時間Ｔ４において第１スイッチ部２１が操作されることによって、操作部２０から制御部３０に消灯指示が送信される。制御部３０のＡＣＤＣコンバーター３４への電源が切られるとともに、制御部３０は、光源１２を消灯させるための信号を出力する。これにより、照明器具１０のＡＣＤＣコンバーター１６への電源が切られる。光源１２の輝度（調光率）は０％となり、光源１２は消灯する。照明装置１００は、以上のように動作する。
【００４３】
（作用・効果）
上述のとおり、点灯および消灯に使用される第１スイッチ部２１の操作方法、ならびに復帰に使用される第２スイッチ部２２の操作方法は、互いに異なるように構成される。本実施の形態においては、第２スイッチ部２２が第１スイッチ部２１とは物理的に分離した位置に配置されるとともに、第２スイッチ部２２が第１スイッチ部２１よりも物理的な形状（ここでは表面積）が小さくなるように構成される。
【００４４】
当該構成により、照明装置１００の使用者７０は、第１スイッチ部２１および第２スイッチ部２２を容易に識別することができ、光源１２の輝度を所望の高い値にまで復帰させるという操作を、間違うことなく容易かつ確実に行なうことができる。
【００４５】
上述のとおり、第１スイッチ部２１は、押下される度にクリック感が発生するメカニカルスイッチから構成され、且つ、第２スイッチ部２２は、タッチパネルから構成されてもよい。この場合、第２スイッチ部２２を操作するために必要な力は、第１スイッチ部２１を操作するために必要な力よりも小さくなる。第１スイッチ部２１の操作方法および第２スイッチ部２２の操作方法はより明確に異なることとなる。使用者は、第１スイッチ部２１および第２スイッチ部２２の機能の違いを感覚的にも識別することができる。使用者は、光源１２の輝度を所望の高い値にまで復帰させるという操作を、よりいっそう間違うことなく容易かつ確実に行なうことが可能となる
［実施の形態２］
図６は、本実施の形態における照明装置に用いられる操作部２０Ａを示す正面図である。図７は、操作部２０Ａを示す斜視図である。
【００４６】
図６および図７に示すように、操作部２０Ａは、第１スイッチ部２１Ａおよび第２スイッチ部２２Ａを含む。本実施の形態においても、第１スイッチ部２１Ａの操作方法および第２スイッチ部２２Ａの操作方法は、互いに異なるように構成される。
【００４７】
第１スイッチ部２１Ａは、メカニカルスイッチから構成される。第２スイッチ部２２Ａは、タッチパネルから構成される。第２スイッチ部２２Ａは、第１スイッチ部２１Ａに重ねて配置され、第１スイッチ部２１Ａの表面に設けられる。
【００４８】
図８は、操作部２０Ａを示す第１断面図である。図８においては、第１スイッチ部２１Ａおよび第２スイッチ部２２Ａが、筐体２５に対して押し込まれている状態が図示されている。図９は、操作部２０Ａを示す第２断面図である。図９においては、第１スイッチ部２１Ａおよび第２スイッチ部２２Ａが、筐体２５に対して押し込まれていない状態が図示されている。
【００４９】
図８および図９に示すように、第１スイッチ部２１Ａは、筐体２５によって支持される。第１スイッチ部２１Ａには、可動接点２１Ｔが設けられる。筐体２５には、固定接点２５Ｔが設けられる。第１スイッチ部２１Ａは、バネなどの弾性部材（図示せず）によって、所定の突出量で筐体２５から外方に向かって突出するように付勢されている（図９に示す状態）。
【００５０】
図８に示すように、操作部２０Ａが、使用者の手指７２によって矢印ＤＲ方向に押し込まれた際には、可動接点２１Ｔが固定接点２５Ｔに接触することによって、第１スイッチ部２１Ａが作動する。操作部２０Ａは、可動接点２１Ｔおよび固定接点２５Ｔ同士の接触または非接触に応じて、制御部３０（図１参照）に対して点灯指示および消灯指示を交互に出力する。
【００５１】
操作部２０Ａからの指示を受けて、光源１２（図１参照）は点灯または消灯する。光源１２の点灯後には、上述の実施の形態１と同様に、光源１２の輝度（調光率）は、たとえば７０％の値となるように徐々に自動的に減少する。
【００５２】
一方、図９に示すように、操作部２０Ａが使用者の手指７２によって軽く触れられた際には、第２スイッチ部２２Ａが作動する。操作部２０Ａは、制御部３０（図１参照）に対して復帰指示を出力する。操作部２０Ａからの指示を受けて、光源１２は、輝度（調光率）がたとえば１００％となるように調光される。
【００５３】
以上説明したように、本実施の形態においては、操作部２０Ａが軽く触れられた場合には復帰動作が行なわれる。操作部２０Ａが強く押された場合には、点灯動作または消灯動作が行なわれる。第２スイッチ部２２Ａが第１スイッチ部２１Ａの表面に設けられていることによって、復帰動作が優先的に作動されることとなる。使用者は、第１スイッチ部２１Ａおよび第２スイッチ部２２Ａを容易に識別することができる。使用者は、光源１２の輝度を所望の高い値にまで復帰させるという操作を、間違うことなく容易かつ確実に行なうことが可能となる。
【００５４】
本実施の形態においては、第２スイッチ部２２Ａが第１スイッチ部２１Ａに重ねて配置される。使用者は、第２スイッチ部２２Ａおよび第１スイッチ部２１Ａを、一つのスイッチとして視覚的に認識する。第１スイッチ部２１Ａおよび第２スイッチ部２２Ａの操作方法の違いによって、点灯、消灯、および調光（復帰）の各動作が行なわれる。使用者は、光源１２（図１参照）の輝度を所望の高い値にまで復帰させるという操作を、より直感的な操作によって間違うことなく容易かつ確実に行なうことができる。
【００５５】
［実施の形態３］
図１０は、本実施の形態における照明装置に用いられる操作部２０Ｂを示す正面図である。図１１は、操作部２０Ｂを示す斜視図である。
【００５６】
図１０および図１１に示すように、操作部２０Ｂは、第１スイッチ部２１Ｂおよび第２スイッチ部２２Ｂを含む。本実施の形態においても、第１スイッチ部２１Ｂの操作方法および第２スイッチ部２２Ｂの操作方法は、互いに異なるように構成される。本実施の形態においては、第１スイッチ部２１Ｂが操作されることによって、光源１２（図１参照）は点灯または消灯される。第２スイッチ部２２Ｂが操作されることによって光源１２は調光（復帰）される。
【００５７】
第１スイッチ部２１Ｂおよび第２スイッチ部２２Ｂは、１つのスイッチ２８Ｂから構成されている。スイッチ２８Ｂは、いわゆる２段式のスイッチである。スイッチ２８Ｂは、押し込み量に応じて、点灯、消灯、または調光（復帰）の各動作に対応した指示を出力するように構成されている。２段式のスイッチとしては、たとえば特開２００１−００６４８８号公報における図１４に記載のものを使用することができる。
【００５８】
図１２は、操作部２０Ｂを示す第１断面図である。図１２においては、スイッチ２８Ｂ（第１スイッチ部２２Ｂおよび第２スイッチ部２２Ｂ）が、筐体２５に対して押し込まれていない状態が図示されている。スイッチ２８Ｂは、筐体２５によって支持される。スイッチ２８Ｂは、バネなどの弾性部材（図示せず）によって、所定の突出量で筐体２５から外方に向かって突出するように付勢されている。スイッチ２８Ｂには、可動接点２１Ｔ，２１Ｕが設けられる。筐体２５には、固定接点２５Ｔ，２５Ｕが設けられる。
【００５９】
図１３に示すように、第１スイッチ部２１Ｂおよび第２スイッチ部２２Ｂは互いに直列に接続される。マイコン３２側では、第１スイッチ部２１Ｂおよび第２スイッチ部２２Ｂの各々におけるＯＮ／ＯＦＦの状態が検出される。
【００６０】
図１４および図１５に示すように、スイッチ２８Ｂの押し込み量が小さい場合（図１４中における矢印ＤＲ１参照）には、可動接点２１Ｔが固定接点２５Ｕに接触する。スイッチ２８Ｂとしては、１段目がＯＮの状態となり、２段目がＯＦＦの状態となる。この状態は、マイコン３２によって第２スイッチ部２２Ｂが作動されたと認識される。光源１２（図１参照）は、調光（復帰）される。
【００６１】
一方、図１６および図１７に示すように、スイッチ２８Ｂの押し込み量が大きい場合（図１６中における矢印ＤＲ２参照）には、可動接点２１Ｔが固定接点２５Ｔに接触するとともに、可動接点２１Ｕが固定接点２５Ｕに接触する。スイッチ２８Ｂとしては、１段目がＯＮの状態となり、さらに２段目がＯＮの状態となる。この状態は、マイコン３２によって第１スイッチ部２１Ｂが作動されたと認識される。光源１２（図１参照）は、点灯または消灯される。
【００６２】
以上説明したように、本実施の形態においては、操作部２０Ｂが軽く押し込まれた場合には復帰動作が行なわれる。操作部２０Ｂが強く押された場合には、点灯動作または消灯動作が行なわれる。復帰動作が優先的に作動されることとなる。使用者は、第１スイッチ部２１Ｂおよび第２スイッチ部２２Ｂを容易に識別することができる。使用者は、光源１２の輝度を所望の高い値にまで復帰させるという操作を、間違うことなく容易かつ確実に行なうことが可能となる。
【００６３】
上述の実施の形態２と同様に、本実施の形態においても、使用者は、第１スイッチ部２１Ｂおよび第２スイッチ部２２Ｂを一つのスイッチとして視覚的に認識する。第１スイッチ部２１Ｂおよび第２スイッチ部２２Ｂの操作方法の違いによって、点灯、消灯、および調光（復帰）の各動作が行なわれる。使用者は、光源１２（図１参照）の輝度を所望の高い値にまで復帰させるという操作を、より直感的な操作によって間違うことなく容易かつ確実に行なうことができる。
【００６４】
［実施の形態４］
図１８は、本実施の形態における照明装置に用いられる操作部２０Ｃを示す正面図である。図１８に示すように、操作部２０Ｃは、第１スイッチ部２１Ｃおよび第２スイッチ部２２Ｃを含む。本実施の形態においても、第１スイッチ部２１Ｃの操作方法および第２スイッチ部２２Ｃの操作方法は、互いに異なるように構成される。本実施の形態においては、第１スイッチ部２１Ｃが操作されることによって、光源１２（図１参照）は点灯または消灯される。第２スイッチ部２２Ｃが操作されることによって光源１２は調光（復帰）される。
【００６５】
第１スイッチ部２１Ｃおよび第２スイッチ部２２Ｃは、１つのスイッチ２８Ｃから構成されている。スイッチ２８Ｃは、タッチパネルである。スイッチ２８Ｃは、タップ（触れられ方）の違いに応じて、点灯、消灯、または調光（復帰）の各動作に対応した指示を出力するように構成されている。
【００６６】
図１９は、操作部２０Ｃを示す第１断面図である。図１９においては、スイッチ２８Ｃ（第１スイッチ部２２Ｃおよび第２スイッチ部２２Ｃ）に対して１回のタップ動作（いわゆるシングルタップ動作）が行なわれている際の様子が図示されている。スイッチ２８Ｃに対して１回のタップ動作（矢印ＤＲ３参照）が行なわれた状態は、第２スイッチ部２２Ｃが作動されたと認識される。光源１２（図１参照）は、調光（復帰）される。
【００６７】
図２０は、操作部２０Ｃを示す第２断面図である。図２０においては、スイッチ２８Ｃ（第１スイッチ部２２Ｃおよび第２スイッチ部２２Ｃ）に対して２回のタップ動作（いわゆるダブルタップ動作）が行なわれている際の様子が図示されている。スイッチ２８Ｃに対して２回のタップ動作（矢印ＤＲ４，ＤＲ４参照）が行なわれた状態は、第１スイッチ部２１Ｃが作動されたと認識される。光源１２（図１参照）は、点灯または消灯される。
【００６８】
以上説明したように、本実施の形態においては、操作部２０Ｃが１回触れられた場合には復帰動作が行なわれる。操作部２０Ｃが２回連続的に触れられた場合には、点灯動作または消灯動作が行なわれる。復帰動作が優先的に作動されることとなる。使用者は、第１スイッチ部２１Ｃおよび第２スイッチ部２２Ｃを容易に識別することができる。使用者は、光源１２の輝度を所望の高い値にまで復帰させるという操作を、間違うことなく容易かつ確実に行なうことが可能となる。
【００６９】
上述の実施の形態３と同様に、本実施の形態においても、使用者は、第１スイッチ部２１Ｃおよび第２スイッチ部２２Ｃを一つのスイッチとして視覚的に認識する。第１スイッチ部２１Ｃおよび第２スイッチ部２２Ｃの操作方法の違いに応じて、点灯、消灯、および調光（復帰）の各動作が行なわれる。使用者は、光源１２（図１参照）の輝度を所望の高い値にまで復帰させるという操作を、より直感的な操作によって間違うことなく容易かつ確実に行なうことができる。
【００７０】
本実施の形態においては、タッチパネルに対して行なわれるシングルタップおよびダブルタップの違いに応じて、点灯、消灯、および調光（復帰）の各動作が行なわれる。この態様に限られず、タッチパネルに対して行なわれるいわゆる長押し動作および短押し動作の違いに応じて、点灯、消灯、および調光（復帰）の各動作が行なわれてもよい。長押し動作および短押し動作の違いは、使用者がタッチパネルに触れた時間の長短に応じて区別される。この場合、長押し動作によって点灯動作または消灯動作が行なわれる。短押し動作によって復帰動作が行なわれる。
【００７１】
［実施の形態５］
図２１は、本実施の形態における照明装置に用いられる操作部２０Ｄを示す正面図である。図２２は、本実施の形態における照明装置に用いられる操作部２０Ｄを示す斜視図である。
【００７２】
図２１および図２２に示すように、操作部２０Ｄは、第１スイッチ部２１Ｄおよび第２スイッチ部２２Ｄを含む。本実施の形態においても、第１スイッチ部２１Ｄの操作方法および第２スイッチ部２２Ｄの操作方法は、互いに異なるように構成される。本実施の形態においては、第１スイッチ部２１Ｄが操作されることによって、光源１２（図１参照）は点灯または消灯される。第２スイッチ部２２Ｄが操作されることによって光源１２は調光（復帰）される。
【００７３】
第１スイッチ部２１Ｄおよび第２スイッチ部２２Ｄは、タッチパネル２８Ｄ上に設けられており、互いに独立した２つのソフトウェアキーから構成されている。第２スイッチ部２２Ｄは、第１スイッチ部２１Ｄよりも表面積（物理的形状）が小さくなるように構成される。
【００７４】
当該構成によっても、上述の実施の形態１と同様に、使用者は、第１スイッチ部２１Ｄおよび第２スイッチ部２２Ｄを容易に識別することができる、使用者は、光源１２の輝度を所望の高い値にまで復帰させるという操作を、間違うことなく容易かつ確実に行なうことが可能となる。
【００７５】
［実施の形態６］
図２３は、本実施の形態における照明装置の回路構成を示す図である。当該回路構成は、上述の実施の形態１〜５のいずれにも適用されることができる。
【００７６】
図２３に示すように、当該回路構成においては、第１スイッチ部２１および第２スイッチ部２２の双方がマイコン３２に接続されている。照明器具１０の光源１２に対する点灯、消灯、および調光（復帰）のいずれの動作も、調光インターフェース３６を通して行なわれる。
【００７７】
操作部２０の第１スイッチ部２１が操作された際に光源１２が消灯しているとする。マイコン３２は、当該操作を検出し、調光インターフェース３６に１００％のデューティー比を有するＰＷＭ信号を出力する。光源１２が点灯する。その後、光源１２の輝度は、上述の各実施の形態と同様に、徐々に低減される。
【００７８】
第２スイッチ部２２が操作されることによって、復帰動作が行なわれる。復帰動作については、図４を参照して上述した場合と同様である。第１スイッチ部２１が再び操作された場合、マイコン３２は当該操作を検出し、調光インターフェース３６に０％のデューティー比を有するＰＷＭ信号を出力する。光源１２は消灯する。
【００７９】
本実施の形態においては、制御部３０側から照明器具１０側への配線は、調光インターフェース３６のみとなるため、配線を簡素化することが可能となる。マイコン３２を通して点灯および消灯の指示が出力されるため、操作部２０の第１スイッチ部２１としては、マイコン３２への指示を出す機能さえあれば、さまざまなものが利用できる。
【００８０】
［実施の形態７］
図２４は、本実施の形態における照明装置の動作を示す図である。当該動作は、照明装置に用いられる制御部３０（図１参照）によって行なわれる。当該動作は、上述の実施の形態１〜６のいずれにも適用されることができる。
【００８１】
図２４に示すように、本実施の形態においては、光源１２（図１参照）が点灯指示または復帰指示を受けた後、光源１２は、すぐにはフェードアウト動作に入らない。光源１２は、制御部３０によって制御されることによって、ホールド時間Ｔｈの間は調光率を１００％で保持する。ホールド時間Ｔｈの経過後、光源１２はフェードアウト動作に入る。
【００８２】
ホールド時間Ｔｈが長いほど、光源１２の照度はより長い期間高い状態となるため、快適性が高くなる。ホールド時間Ｔｈは、たとえば１０秒から１０分の間で設定される。ホールド時間Ｔｈを設けることによって、使用者は照度変化をよりいっそう感じにくくなる。使用者の快適性を向上させることが可能となる。ホールド時間Ｔｈは、省エネルギーの観点から、快適性とのバランスを考慮しつつ最適化されるとよい。
【００８３】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００８４】
１０  照明器具、１２  光源、１４  ドライバー、１６，３４  コンバーター、２０，２０Ａ，２０Ｂ，２０Ｃ，２０Ｄ  操作部、２１，２１Ａ，２１Ｂ，２１Ｃ，２１Ｄ  第１スイッチ部、２１Ｔ，２１Ｕ  可動接点、２２，２２Ａ，２２Ｂ，２２Ｃ，２２Ｄ  第２スイッチ部、２３  取付パネル、２４  取付具、２５  筐体、２５Ｔ，２５Ｕ  固定接点、２８Ｂ，２８Ｃ  スイッチ、２８Ｄ  タッチパネル、３０  制御部、３２  マイコン、３６  調光インターフェース、４０  記憶部、４２  メモリー、５０  電源部、５２  交流電源、６０  部屋、６１  壁面、６２  天井、６３  出入口、７０  使用者、７２  手指、１００  照明装置、ＤＲ，ＤＲ１，ＤＲ２，ＤＲ３，ＤＲ４，ＤＲ４  矢印、Ｔ１，Ｔ２，Ｔ３，Ｔ４  時間、Ｔｆ  フェードアウト時間、Ｔｈ  ホールド時間。
【図１】
2013026073.tif 000003
【図２】
2013026073.tif 000004
【図３】
2013026073.tif 000005
【図４】
2013026073.tif 000006
【図５】
2013026073.tif 000007
【図６】
2013026073.tif 000008
【図７】
2013026073.tif 000009
【図８】
2013026073.tif 000010
【図９】
2013026073.tif 000011
【図１０】
2013026073.tif 000012
【図１１】
2013026073.tif 000013
【図１２】
2013026073.tif 000014
【図１３】
2013026073.tif 000015
【図１４】
2013026073.tif 000016
【図１５】
2013026073.tif 000017
【図１６】
2013026073.tif 000018
【図１７】
2013026073.tif 000019
【図１８】
2013026073.tif 000020
【図１９】
2013026073.tif 000021
【図２０】
2013026073.tif 000022
【図２１】
2013026073.tif 000023
【図２２】
2013026073.tif 000024
【図２３】
2013026073.tif 000025
【図２４】
2013026073.tif 000026